(57)【要約】【課題】操作パネル装置のパネルカバーの設置スペースを小さくすることができ、またパネル面が日光の反射などで見にくくなる不具合も除くことができるようにする。【解決手段】前面に操作パネル（２０）が取り付けられた箱体（１８）と、その上面の該前面の側の端に回転自在に取り付けられた案内ローラ（２４）と、この案内ローラに滑動自在に係合した案内レール（２６）を有したパネルカバー（２２）とを備え、パネルカバーを、箱体の前面に位置し操作パネルを覆う「閉位置」と上面に位置し操作パネルを開放する「格納位置」との間で移動自在に取り付ける。【選択図】図３
2005111347.tif 000002
【特許請求の範囲】
【請求項１】
前面に操作パネルが取り付けられた略直方体の箱体と、この箱体の上面の該前面の側の端に回転自在に同一軸線上に取り付けられた一対の案内ローラと、この案内ローラ各々に滑動自在に係合した案内レールを有したパネルカバーとを備え、  該パネルカバーが、該案内ローラ及び案内レールによって、箱体の前面に位置して操作パネルを覆う「閉位置」と上面に位置して操作パネルを開放する「格納位置」との間を移動自在に取り付けられ、「格納位置」においてはその一端側が該前面から突出した状態で該上面に固定される、ことを特徴とする作業機械の操作パネル装置。
【請求項２】
該パネルカバーを「閉位置」に施錠可能に固定する錠前を備え、この「閉位置」を開放したときに取り外した錠前によって、該パネルカバーが「格納位置」に固定される、請求項１記載の作業機械の操作パネル装置。
【請求項３】
該箱体が、該作業機械の機体構造物の上面に取り付けられている、請求項１又は２記載の作業機械のパネル装置。
【発明の詳細な説明】
【技術分野】
【０００１】
本発明は、作業機械の操作パネル装置に関する。
【背景技術】
【０００２】
作業機械、例えば自走式破砕機のような屋外の作業現場で稼動し、屋外に保管され、また運転室を備えていない作業機械は、機体の運転操作のしやすいところにスイッチ、メータ、モニタなどの配置された操作パネルを備えている。この操作パネルは、室内に設置されていないので、いたずら、損傷、機体盗難などを防止するために、操作パネルを覆うためのパネルカバーを備えている。
【発明の開示】
【発明が解決しようとする課題】
【０００３】
しかしながら上述したとおりの形態の従来の作業機械の操作パネル装置には、次のとおりの解決すべき問題がある。
【０００４】
（１）広い設置スペースが必要
典型的なパネルカバーは、一端にヒンジを備えた開閉可能なドア形式に、あるいは着脱可能な蓋形式に形成されている。したがって、パネルカバーを開閉するためには、あるいは外したカバーを保管するためには、大きさの限られた機体に比較的大きな設置スペースが必要である。
【０００５】
（２）パネル面が見にくい
また、この種の作業機械は操作パネルが室外に設置されているので、日光の反射などによってパネル面が見にくくなることがあり、運転操作が妨げられる。
【０００６】
本発明は上記事実に鑑みてなされたもので、その技術的課題は、パネルカバーの設置スペースを小さくすることができ、またパネル面が日光の反射などで見にくくなる不具合も除くことができるようにした、作業機械の操作パネル装置を提供することである。
【課題を解決するための手段】
【０００７】
本発明によれば上記技術的課題を解決する作業機械の操作パネル装置として、前面に操作パネルが取り付けられた略直方体の箱体と、この箱体の上面の該前面の側の端に回転自在に同一軸線上に取り付けられた一対の案内ローラと、この案内ローラ各々に滑動自在に係合した案内レールを有したパネルカバーとを備え、該パネルカバーが、該案内ローラ及び案内レールによって、箱体の前面に位置して操作パネルを覆う「閉位置」と上面に位置して操作パネルを開放する「格納位置」との間を移動自在に取り付けられ、「格納位置」においてはその一端側が該前面から突出した状態で該上面に固定される、ことを特徴とする作業機械の操作パネル装置が提供される。
【０００８】
好適には、該パネルカバーを「閉位置」に施錠可能に固定する錠前を備え、この「閉位置」を開放したときに取り外した錠前によって、該パネルカバーが「格納位置」に固定される。
【発明の効果】
【０００９】
本発明に従って構成された操作パネル装置によれば、パネルカバーは、案内ローラ及び案内レールによって、操作パネルを閉じる「閉位置」と箱体の上面の「格納位置」との間を移動自在になっている。したがって、パネルカバーの設置スペースを小さくすることができる。また、「格納位置」においてはパネルカバーの一端側が箱体の前面の操作パネル側にひさし状に突出するので、直射日光などによりパネル面が見にくくなる問題も除くことができる。
【発明を実施するための最良の形態】
【００１０】
以下、本発明に従って構成された作業機械の操作パネル装置について、好適実施形態を図示している添付図面を参照して、さらに詳細に説明する。
【００１１】
図１を参照して説明する。全体を番号２で示す作業機械である自走式破砕機は、機体フレーム４と、機体フレーム４に取り付けられた無限軌道式の走行体６と、機体フレーム４上に取り付けられた、例えばコンクリ塊のような被破砕物の投入ホッパー８、破砕装置１０、搬出コンベア１２及びエンジンなどが収容された動力室１４とを備えている。
【００１２】
機体構造物である動力室１４の上面に、本発明に係る操作パネル装置１６が取り付けられている。操作パネル装置１６はオペレータが機体のプラットフォームＳの上に乗った状態で利用される。操作パネル装置１６について図２及び図３を参照して説明する。操作パネル装置１６は、動力室１４の上面に取り付けられた略直方体の箱体１８と、箱体１８の前面Ｆに取り付けられた操作パネル２０を開閉自在に覆うパネルカバー２２とを備えている。
【００１３】
図２（ａ）はパネルカバー２２が「閉位置」の状態、すなわち箱体１８の前面Ｆ側に位置して操作パネル２０を覆った状態のパネル操作装置１６を側面から見た図で、図２（ｂ）はこれを正面から見た図である。図３は、パネルカバー２２が「格納位置」の状態、すなわち箱体１８の上面Ｊに位置して操作パネル２０を開放した状態のパネル操作装置１６を側面から見た図である。
【００１４】
パネルカバー２２は、箱体１８の上面Ｊの前面Ｆ側の端に回転自在に取り付けられた一対の案内ローラ２４，２４と、この案内ローラ２４，２４各々に滑動自在に係合した案内レール２６，２６とによってその開閉が案内されている。
【００１５】
箱体１８は、鋼板を成形接合して形成され、動力室１４の上面にボルト、ナットなどの締結手段によって取り付けられている。箱体１８は、上下左右そして後の各面が実質上閉じられており、前面Ｆ側の開口部に操作パネル２０を取り付けるためのブラケット２８が備えられている。この直方体の箱体１８は操作パネル２０がやや上方を向くように上部側が後方に傾けられている。開口した前面Ｆの縁部には断面Ｕ字状の合成ゴムにより成形されたトリム３０がはめ込まれ取り付けられている。
【００１６】
さらに、箱体１８の側面の一方（前面Ｆ側から見て右側の面）には前面Ｆ側及び上面Ｊ側それぞれに、錠前３２を取り付けるための板材をＬ形に曲げて形成され錠前の通し穴を有したブラケット３４ａが取り付けられている。ブラケット３４ａの取付位置については、パネルカバー２２との関係で後に説明する。
【００１７】
操作パネル２０は、作業機械である自走式破砕機の操作に用いられるスイッチ、メータ、モニタなどが盤上に配置されたもので、操作パネル２０そのものは本発明の新規特徴を構成するものではない。したがって、詳細についての図示及び説明は省略する。
【００１８】
図２及び図３とともに図４を参照して説明する。箱体１８の前面Ｆ側から見て上面Ｊの前面Ｆ側の端には、左右に間隔を置いて、前述の一対の案内ローラ２４，２４を取り付けるための取付穴を有した矩形板状のブラケット３６，３６が立設されている。案内ローラ２４，２４は、その回転の軸線Ｘを同一線上にして取り付けられている。
【００１９】
案内ローラ２４は、周知の市販のカムフォロア、すなわちスタッド２４ａの一端側に回転自在にローラ２４ｂが取り付けられたものを用いることができる。一対の案内ローラ２４，２４は、ブラケット３６，３６に、ローラ２４ｂ、２４ｂ同士を対向させて、ナット２４ｃによりそれぞれ取り付けられている。ローラ２４ｂ、２４ｂ同士を対向させることにより、後述する案内レール２６と協働してパネルカバー２２の軸線Ｘ方向の遊びが規制されている。
【００２０】
パネルカバー２２は、箱体１８の前面Ｆを覆う大きさに鋼板により矩形皿状に形成されたカバー本体２２ａと、皿状の内面に上下方向に平行に延びた一対の前述の案内レール２６，２６と、錠前３２を取り付けるための、前述のブラケット３４ａと実質的に同一でよいブラケット３４ｂ、開閉操作用のパイプを門形に曲げて形成されたハンドル２２ｂと、を備えている。
【００２１】
カバー本体２２ａの一端側である下端部には、軸線Ｘと実質上平行な稜線によって折り曲げられた曲げ部であるひさし部２２ｃが形成されている。ひさし部２２ｃの大きさは、操作パネル装置１６が取り付けられる作業機械の部位などに応じて、例えば日よけとして操作パネル２０の面が見やすいように設定される。
【００２２】
案内レール２６は、断面Ｌ形に板材によって形成され、Ｌ形の一辺がパネルカバー２２に立設接合され他辺側がパネルカバー２２の内面と平行に、かつ一対の案内レール２６，２６のＬ形を背中合わせにして取り付けられている。かくして、案内ローラ２４のローラ２４ｂが滑動する案内溝が形成されている。
【００２３】
錠前３２は周知の南京錠である。他の適宜に錠前でもよい。錠前３２が取り付けられる箱体１８側のブラケット３４ａ及びパネルカバー２２側のブラケット３４ｂは、錠前３２を取り付けることにより、パネルカバー２２を「閉位置」（図２の位置）及び「格納位置」（図３の位置）それぞれに固定する部位に取り付けられる。したがって、一つの錠前３２が「閉位置」と「格納位置」で共通に用いられる。
【００２４】
図１〜図４を参照して、上述したとおりの操作パネル装置１６の作用について説明する。
【００２５】
（１）パネルカバーの開閉
図２に示す「閉位置」のパネルカバー２２を開けるには、錠前３２を外し、ハンドル２２ｂをつかんで図３に二点鎖線で示す上方まで案内ローラ２４を中心に矢印Ｙ方向にパネルカバー２２を持ち上げ、その状態で箱体１８の上面Ｊに沿って押し込み、箱体１８のブラケット３４ａとパネルカバー２２のブラケット３４ｂの位置を合わせて、取り外した錠前３２により位置を「格納位置」に固定する。「格納位置」のパネルカバー２２を「閉位置」にするには、逆の操作を行えばよい。
【００２６】
（２）広い設置スペースが要らない
上述のようにパネルカバー２２は「格納位置」において操作パネル２０の箱体１８の上面Jに格納されるので、設置スペースは小さい。従来のヒンジを備えた開閉可能なドア、あるいは着脱自在な蓋のように、大きな設置スペースは要らない。
【００２７】
（３）パネル面が見やすい
さらに、パネルカバー２２を「閉位置」から「格納位置」にすると、操作パネル２０の上方にパネルカバー２２のひさし部２２ｃが設けられるので、日光の反射などによる操作パネル２０が見にくいなどの運転操作の妨げになる問題が除かれる。
【００２８】
（４）作業機械の操作パネル装置に好適
操作パネル装置１６は、作業機械の機体構造物、例えば動力室１４の上面に取り付けることができるので、作業機械の操作しやすい見やすいところに設置することができる。
【図面の簡単な説明】
【００２９】
【図１】本発明に従って構成された操作パネル装置を備えた作業機械としての自走式破砕機の側面図。
【図２】操作パネル装置をパネルカバー「閉位置」の状態で示した（ａ）側面図及び（ｂ）正面図。
【図３】図２の操作パネル装置をパネルカバー「格納位置」状態で示した側面図。
【図４】図３のＡ−Ａ矢印方向に見た拡大断面図。
【符号の説明】
【００３０】
２：自走式破砕機（作業機械）
１４：動力室（機体構造物）
１６：操作パネル装置
１８：箱体
２０：操作パネル
２２：パネルカバー
２４：案内ローラ
２６：案内レール
３２：錠前
Ｘ：軸線
【図１】
2005111347.tif 000003
【図２】
2005111347.tif 000004
【図３】
2005111347.tif 000005
【図４】
2005111347.tif 000006